(57)【要約】ＨｅｔＮｅｔ展開のためのアンチブロッキングセルラー通信への新しいアプローチが提案される。ブロック検出器が、ＬＰＮからのブロックインジケータをマクロベースステーションにおけるスケジューラに送信する。スケジューラは、サブフレームベースで、各ＬＰＮのブロックインジケータの統計を収集し、各サブフレームにおける統計を更新する。特定のＬＰＮの観察期間の間のあるサブフレームに対する受信されるブロックインジケータの統計が第１の既定の閾値を超える場合、スケジューラは、このサブフレームの間、ＬＰＮに接続されるこれらのＵＥに対してこれ以上のアップリンク伝送をＬＰＮにスケジュールしないであろう。受信されるブロックインジケータの統計が、第１の閾値よりも小さい第２の既定の閾値よりも小さくなると、スケジューラは、ＬＰＮへのアップリンク伝送における制限を除去し、通常通り、ＬＰＮのサブフレームを配分する。
2016509765.tif 000002
【特許請求の範囲】
【請求項１】
異種ネットワーク（ＨｅｔＮｅｔ）展開のためのアンチブロッキングセルラー通信をサポートするシステムであって、前記システムは、ベースステーションにおけるスケジューラを備え、
前記スケジューラは、動作時、
前記ベースステーションにおいて、前記ベースステーションの対象範囲内の低電力ノード（ＬＰＮ）からブロックインジケータを受け取ることであって、前記ブロックインジケータは、前記ＬＰＮでのブロッキング状況が検出されたことを示す、ことと、
前記ベースステーションにおいて、観察期間内の各サブフレームに対して前記ＬＰＮのブロックインジケータ統計を計算することと、
前記ＬＰＮのブロックインジケータ統計が、前記観察期間の前記サブフレームの間に第１の閾値を超える場合、前記ベースステーションとのアップリンク通信のために前記ＬＰＮによってサービス提供されるモバイルデバイスに、アップリンクリソースを配分しないことと
を行う、システム。
【請求項２】
前記スケジューラは、前記ＬＰＮを通して、前記モバイルデバイスと前記ベースステーションとの間の前記アップリンク通信の伝送および再伝送を制御かつスケジュールする、請求項１に記載のシステム。
【請求項３】
前記スケジューラは、前記ＬＰＮでブロックされた前記アップリンク通信の再伝送の取り扱いにおいて、前記ブロックインジケータ統計を利用する、請求項２に記載のシステム。
【請求項４】
前記サブフレームは、アップリンクまたはダウンリンク通信のための同一の方向特性を有するフレーム内部の無線周波数（ＲＦ）リソースの時間単位の連続数である、請求項１に記載のシステム。
【請求項５】
前記ブロックインジケータ統計は、前記観察期間内の各サブフレームに対する受信されたブロックインジケータのカウンタである、請求項１に記載のシステム。
【請求項６】
前記スケジューラは、前記観察期間の間、前記サブフレームに対する受信された前記ブロックインジケータに基づいて、前記ブロックインジケータ統計を更新する、請求項１に記載のシステム。
【請求項７】
前記スケジューラは、前記ＬＰＮの前記ブロックインジケータ統計が、前記観察期間のサブフレームの間に前記第１の閾値を超える場合、前記ＬＰＮに対して「スケジュール不能」として前記サブフレームにタグ付けする、請求項１に記載のシステム。
【請求項８】
前記スケジューラは、前記ＬＰＮの前記ブロックインジケータ統計が、前記観察期間のサブフレームの間に前記第１の閾値より小さい第２の閾値より小さくなる場合、前記ＬＰＮに対する前記サブフレームの「スケジュール不能」タグを除去する、請求項７に記載のシステム。
【請求項９】
前記スケジューラは、前記ＬＰＮのブロックインジケータ統計が、前記観察期間のサブフレームの間に前記第１の閾値より小さい第２の閾値より小さくなる場合、そのアップリンク通信が前記ＬＰＮによって受信される前記モバイルデバイスへのアップリンクリソースの配分を再開する、請求項１に記載のシステム。
【請求項１０】
前記ＬＰＮにおけるブロック検出器をさらに備え、前記検出器は、動作時、
前記ＬＰＮにおいて、前記ベースステーションとのアップリンク通信のために前記ＬＰＮよってサービス提供される前記モバイルデバイスから着信波形を受信することと、
ある期間の間、前記着信波形を分析し、前記ＬＰＮにおいて発生する前記ブロッキング状況を検出することと、
前記ブロッキング状況が検出される場合、ブロックインジケータを生成し、それを前記ベースステーションに提供することと
を行う、請求項１に記載のシステム。
【請求項１１】
前記ブロック検出器は、前記期間の間、前記ＬＰＮで受信される前記アップリンク通信が、１つ以上の近傍ユーザ機器デバイスによる高電力伝送に起因してブロックされているかどうかを検出する、請求項１０に記載のシステム。
【請求項１２】
前記ブロック検出器は、アナログ形態において前記着信波形を分析する、請求項１０に記載のシステム。
【請求項１３】
前記ブロック検出器は、波形がデジタル形態に変換された後に、前記着信波形を分析する、請求項１０に記載のシステム。
【請求項１４】
前記ブロック検出器は、前記ＬＰＮによってサービス提供される前記モバイルデバイスによる前記アップリンク伝送の時間および周波数の配分に関する情報を利用して、前記ブロッキング状況を検出する、請求項１０に記載のシステム。
【請求項１５】
異種ネットワーク（ＨｅｔＮｅｔ）展開のためのアンチブロッキングセルラー通信をサポートする方法であって、
ベースステーションにおいて、前記ベースステーションの対象範囲内の低電力ノード（ＬＰＮ）からのブロックインジケータを受け取ることであって、前記ブロックインジケータは、前記ＬＰＮでのブロッキング状況が検出されたことを示す、ことと、
前記ベースステーションにおいて、観察期間内の各サブフレームに対して前記ＬＰＮのブロックインジケータ統計を計算することと、
前記ＬＰＮのブロックインジケータ統計が、前記観察期間のサブフレームの間に、ある閾値を超える場合、前記ベースステーションとのアップリンク通信のために前記ＬＰＮによってサービス提供されるモバイルデバイスに、アップリンクリソースを配分しないことと
を含む、方法。
【請求項１６】
前記ＬＰＮを通して、前記モバイルデバイスと前記ベースステーションとの間の前記アップリンク通信の伝送および再伝送を制御かつスケジュールすることをさらに含む、請求項１５に記載の方法。
【請求項１７】
前記ＬＰＮでブロックされた前記アップリンク通信の再伝送の取り扱いにおいて、前記ブロックインジケータ統計を利用することをさらに含む、請求項１５に記載の方法。
【請求項１８】
前記観察期間の間、前記サブフレームに対する受信された前記ブロックインジケータに基づいて、前記ブロックインジケータ統計を更新することをさらに含む、請求項１５に記載の方法。
【請求項１９】
前記ＬＰＮのブロックインジケータ統計が、前記観察期間のサブフレームの間に前記第１の閾値を超える場合、前記ＬＰＮに対して「スケジュール不能」として前記サブフレームにタグ付けすることをさらに含む、請求項１５に記載の方法。
【請求項２０】
前記ＬＰＮの前記ブロックインジケータ統計が、前記観察期間のサブフレームの間に前記第１の閾値より小さい第２の閾値より小さくなる場合、前記ＬＰＮに対する前記サブフレームの「スケジュール不能」タグを除去することをさらに含む、請求項１９に記載の方法。
【請求項２１】
前記ＬＰＮの前記ブロックインジケータ統計が、前記観察期間のサブフレームの間に前記第１の閾値より小さい第２の閾値より小さくなる場合、そのアップリンク通信が前記ＬＰＮによって受信される前記モバイルデバイスへのアップリンクリソースの配分を再開することをさらに含む、請求項１９に記載の方法。
【請求項２２】
前記ＬＰＮにおいて、前記ベースステーションとのアップリンク通信のために前記ＬＰＮによってサービス提供される前記モバイルデバイスから着信波形を受信することと、
ある期間の間、前記着信波形を分析し、前記ＬＰＮで発生する前記ブロッキング状況を検出することと、
前記ブロッキング状況が検出される場合、前記ブロックインジケータを生成し、それを前記ベースステーションに提供することと
をさらに含む、請求項１５に記載の方法。
【請求項２３】
前記期間の間、前記ＬＰＮで受信される前記アップリンク通信が、１つ以上の近傍ユーザ機器デバイスによる高電力伝送に起因してブロックされているかどうかを検出することをさらに含む、請求項２２に記載のシステム。
【請求項２４】
アナログ形態における前記着信波形を分析することをさらに含む、請求項２２に記載の方法。
【請求項２５】
前記波形が、デジタル形態に変換された後に、前記着信波形を分析することをさらに含む、請求項２２に記載の方法。
【請求項２６】
前記ＬＰＮによってサービス提供される前記モバイルデバイスによる前記アップリンク伝送の時間および周波数の配分に関する情報を利用して、前記ブロッキング状況を検出することをさらに含む、請求項２２に記載の方法。
【発明の詳細な説明】
【技術分野】
【０００１】
（関連出願）
本願は、米国特許法§１１９（ｅ）により、仮出願第６１／７３７，０２１号（２０１２年１２月１３日出願、名称「Ａｎｔｉ−ｂｌｏｃｋｉｎｇ  Ｓｃｈｅｄｕｌｅｒ  ｆｏｒ  ＨｅｔＮｅｔ  Ｄｅｐｌｏｙｍｅｎｔ」）を基礎とする優先権の利益を主張し、上記出願は、その全体が参照により本明細書に援用される。
【０００２】
本願は、米国特許法§１１９（ｅ）により、仮出願第６１／７３７，０４１号（２０１２年１２月１３日出願、名称「Ｍｅｔｈｏｄ  ａｎｄ  Ａｐｐａｒａｔｕｓ  ｆｏｒ  ａ  Ｂｌｏｃｋｉｎｇ  Ｄｅｔｅｃｔｏｒ  ｉｎ  ａ  Ｄｉｇｉｔａｌ  Ｃｏｍｍｕｎｉｃａｔｉｏｎ  Ｓｙｓｔｅｍ」）を基礎とする優先権の利益を主張し、上記出願は、その全体が参照により本明細書に援用される。
【０００３】
（発明の分野）
本発明は、概して、複数の低電力ノードがマクロベースステーションの対象範囲内で展開される異種ネットワーク等のセルラー通信システムに関する。
【背景技術】
【０００４】
セルラー通信システムは、世界中で、音声サービスだけではなく、モバイルブロードバンドサービスも提供している。ますます多くのデータを消費する、携帯電話で実行可能なアプリケーションがますます現れるにつれて、モバイルブロードバンドデータサービスに関する需要は、急激に増加し、セルラー通信システムのオペレータに、どこでも、かついつでも可能であるデータ処理能力を改善することを要求する。
【０００５】
２地点間リンクに関するスペクトル効率が、その理論的限界に近づくにつれて、セルラー通信システムのデータ処理能力を改善する１つの方法は、大きなセルをますます小さいセルに分割することである。しかしながら、セルが互に近くなると、隣接セル干渉がより深刻になり、セル分割は飽和する。さらに、オペレータにとって、新しい用地を取得し、ベースステーションを設置することは、ますます困難かつ費用がかかるようになっている。したがって、セル分割は、モバイルブロードバンドデータサービスに対する需要を充足できない。
【０００６】
最近、業界において、多くの関心および取り組みを引き付けている、異種ネットワークまたは略してＨｅｔＮｅｔと呼ばれる、新しいタイプのセルラー通信システム展開が、提案されている。ＨｅｔＮｅｔでは、複数の低電力ノード（ＬＰＮ）を含む追加の層が、既存のマクロベースステーションの対象範囲内でセルラー通信システムへ追加される。マクロベースステーションは、より良好な干渉管理およびリソース配分等を有するために、ＨｅｔＮｅｔ内でマスタ−スレーブ関係において、ＬＰとの通信を監視、制御、およびスケジュールする。
【０００７】
全てのＬＰＮが１つのマクロベースステーションの対象範囲内であるＨｅｔＮｅｔ展開の一非限定実施例では、モバイルデバイス等のユーザ機器デバイス（ＵＥ）が、マクロベースステーションとのその接続（例えば、アップリンク）を確立するために、ＬＰＮに依拠する。ここでは、各ＬＰＮは、その接続するＵＥから、必要な情報搬送波形の総和ならびに他の干渉信号および雑音を受信する。ＵＥとＬＰＮは両方とも、マクロベースステーションに据え付けられたスケジューラに従って、互に通信するように命令されるが、各ＵＥは、セルラー通信システム内で通信するＬＰＮの場所を認知していない場合がある。
【０００８】
しかしながら、この機構に関連する１つの特有の問題が、存在する。ＬＰＮが、典型的には、それが取り扱うことができる入力信号電力の範囲を有する。入力信号電力が過度に低い場合、ＬＰＮは、信号を分解することができない。一方、入力信号電力が過度に高い場合、ＬＰＮは、破損および歪みまたは他の要因のいずれかに起因して、信号を分解することができない。１つ以上のＵＥが１つのＬＰＮに偶然にも近く、マクロベースステーションから遠方に離れている場合、ネットワークおよび／または第１の伝送アップリンクメッセージに接続するランダムアクセス信号（ＬＴＥの場合、ランダムアクセスプリアンブル）等の、初期アップリンク伝送電力は、マクロベースステーションによって知覚されるために不必要に高くあり得る。この不必要に高い伝送電力は、アップリンク能力を低下させるアップリンク同一チャネル干渉を生成する。最悪の場合、ＵＥによるこの不必要に高い伝送電力は、ＵＥに近いＬＰＮで受信チェーンをブロックし得る。ＬＰＮのアップリンク受信チェーンが、ブロックされる場合、その対応する電力が、好適なレベルである場合でも、ＬＰＮで受信された全ての信号が、破損され得る。加えて、現在のサブフレーム内でＬＰＮによって受信されたアップリンクデータが、飽和され、現在のサブフレーム内の飽和されたデータはさらに、前のアップリンク伝送で受信されたデータバッファを汚染し得、これは、汚染を相殺するためにデータの追加の再伝送を要求する。
【発明の概要】
【課題を解決するための手段】
【０００９】
本発明の１つの目的は、上記に説明される効率低下および不利点を、能動的に回避または減少させることである。本発明の一実施形態では、ブロック検出器が、ＬＰＮからのブロックインジケータをマクロベースステーションにおけるスケジューラに送信する。スケジューラは、サブフレームベースにおいて、各ＬＰＮからブロックインジケータの統計を収集し、各サブフレームにおける統計を更新する。具体的なＬＰＮの観察期間の間に、あるサブフレームに対する受信されるブロックインジケータの統計が、第１の事前に定義された閾値を超える場合、スケジューラは、ＬＰＮに接続されるこれらのＵＥに対するサブフレームの間、これ以上のアップリンク伝送をＬＰＮにスケジュールしないであろう。受信されたブロックインジケータの統計が、第１の閾値よりも小さい、第２の事前に定義された閾値より小さくなると、スケジューラは、ＬＰＮへのアップリンク伝送における制限を除去し、通常通り、ＬＰＮのサブフレームを配分する。
【００１０】
本発明のさらなる特徴および利点ならびに本発明の種々の実施形態の構造および動作が、付随の図面を参照して以下に詳細に説明される。
【図面の簡単な説明】
【００１１】
１つ以上の種々の実施形態による、本発明は、以下の図を参照して詳細に説明される。図面は、例証のみの目的のために提供され、単に、本発明の例示的実施形態を描写する。これらの図面は、本発明の読者の理解を促進するために提供され、本発明の範疇、範囲、または適用性の制限と見なされるべきではない。例証の明確および容易性のために、これらの図面は、必ずしも、縮尺通りではないことに留意されたい。
【図１】図１は、ＨｅｔＮｅｔ展開のためのアンチブロッキングセルラー通信システム１００の実施例を描写する。
【図２】図２は、ブロッキング状況のインジケータを決定するＬＰＮのアナログ部の実施例を描写する。
【図３】図３は、ブロッキング状況のインジケータを決定するＬＰＮのデジタル部の実施例を描写する。
【図４】図４は、ブロッキング状況を検出するためのある期間の好適な範囲の実施例を描写する。
【図５】図５は、ブロックインジケータの統計を使用して、複数のサブフレームを含むある観察期間の間に、ＬＰＥからアップリンク通信の伝送をスケジュールするスケジューラの一実施例を示す。
【図６】図６は、ＨｅｔＮｅｔ展開のためのアンチブロッキングセルラー通信をサポートするプロセスの実施例のフローチャートを描写する。
【発明を実施するための形態】
【００１２】
本アプローチは、同一参照が類似要素示す、付随の図面の図において、限定としてではなく、実施例として例証される。本開示における「ある（ａｎ）」または「一（ｏｎｅ）」または「いくつかの（ｓｏｍｅ）」実施形態という言及は、必ずしも、同一の実施形態ではなく、そのような言及は、少なくとも１つを意味することに留意されたい。
【００１３】
例示的実施形態の以下の説明では、その一部を形成し、かつ本発明が実践され得る具体的実施形態の例証として示される付随の図面を参照する。他の実施形態が利用され得、構造上の変更が、本発明の好ましい実施形態の範囲から逸脱せずに行われ得ることを理解されたい。
【００１４】
本発明は、セルラーまたはモバイル通信システムのためのシステムおよび方法を対象とする。本発明の実施形態は、１つの実用的用途、すなわち、複数のＬＰＮを介するベースステーションと複数のＵＥ／モバイルデバイスとの間での通信に関連して、本明細書に説明される。この観点では、例示的システムは、ＬＰＮを通して、ベースステーションと複数のモバイルデバイスとの間でデータ通信を提供するために適用可能である。しかしながら、本発明は、そのようなベースステーションおよびモバイルデバイス通信用途に限定されず、本明細書に説明される本方法はまた、非限定実施例に関して、モバイル／モバイル通信、ワイヤレスローカルループ通信、ワイヤレスリレー通信、またはワイヤレスバックホール通信等の他の用途において利用され得る。
【００１５】
図１は、ＨｅｔＮｅｔ展開のためのアンチブロッキングセルラー通信システム１００の実施例を描写する。略図は、機能的に別個であるようなコンポーネントを描写するが、そのような描写は、単に、例証的目的のためである。この図に表現されたコンポーネントは、任意に、別個のソフトウェア、ファームウェア、および／またはハードウェアコンポーネントに組み合わされる、またはそれらへ分割されることができることが明白であるであろう。
【００１６】
図１の実施例では、システム１００は、各々がスケジューラ１１０を有する少なくとも１つのマクロベースステーション１０２と、マクロベースステーション１０２の対象範囲内の１つ以上低電力ノード（ＬＰＮ）１０６とを含み、ＬＰＮの全ては、共通のマクロベースステーション１０２に関連付けられる同一のセル識別子を共有し、１つ以上のＬＰＮ１０６の各々は、１つ以上のブロック検出器１０８を有する。複数のモバイルまたはユーザ機器デバイス（ＵＥ）１０４が、マクロベースステーション１０２との通信のためのＬＰＮ１０６の１つに接続し、各ＵＥ１０４は、限定ではないが、ラップトップＰＣ、タブレットＰＣ、ｉＰｏｄ、ｉＰｈｏｎｅ、ｉＰａｄ、Ｇｏｏｇｌｅ’ｓ  Ａｎｄｒｏｉｄデバイス、ポータブルストレージデバイス、および携帯電話等のモバイルコンピューティング、ストレージ、または通信デバイスのうちの１つであることができる。動作の間、システム１００のＵＥ１０４は、ＬＰＮ１０６を通して、マクロベースステーション１０２と通信し、各ＵＥ１０４は、システム１００のマクロベースステーション１０２の対象範囲内においてＬＰＮ１０６の１つに接続する。ＬＰＮ１０６は、ＬＰＮ１０６に接続するＵＥ１０４からアップリンク通信データを受信し、次いで、ＵＥ１０４から受信されたアップリンクデータをマクロベースステーション１０２に通信する。いくつかの実施形態では、ＬＰＮ１０６は、マスタ−スレーブ構成においてマクロベースステーション１０２によって制御される。
【００１７】
図１の実施例では、各ＬＰＮ１０６内の１つ以上のブロック検出器１０８は、ＬＰＮ１０６で受信されたアップリンク通信が、ある期間の間、近傍ＵＥ１０４によって高電力伝送に起因してブロックされているかどうかを検出し、ブロックインジケータの形態において、検出されたブロッキング情報をマクロベースステーション１０２に提供する。いくつかの実施形態では、ブロック検出器１０８は、その接続するＵＥ１０４からのアップリンク通信の着信波形を分析し、ＬＰＮ１０６においてあるブロッキング条件が発生したかどうかを決定する。ブロッキング状況がＬＰＮ１０６のアナログ部分またはデジタル部分のいずれかで発生する可能性があるため、ブロック検出器１０８は、アナログＲＦ波形またはデジタル形態または両方のいずれかで着信波形の分析を行う。
【００１８】
アナログ形態における着信波形を分析する場合、ブロック検出器１０８は、ブロッキング状況のインジケータとして着信波形の電力／振幅を利用する。図２は、ブロッキング状況のインジケータを決定するために、ブロック検出器１０８に加えて、さらに、低雑音増幅器（ＬＮＡ）１１４、乗算器１１６、アナログフィルタ１１８、およびアナログ／デジタル変換器（ＡＤＣ）１２０のうちの１つ以上を含み得る、ＬＰＮ１０６のアナログ部１１２の実施例を描写する。動作の間、ＬＰＮ１０６は、そのアンテナ１２２を通してＵＥ１０４から着信波形を受信し、ＬＮＡ１１４を介して受信された着信波形を増幅する。ＬＰＮ１０６は、次いで、乗算器１１６において、着信波形を同一の搬送周波数ｆを有する別の波形を用いて乗算した後、低域通過アナログフィルタ１１８がベースバンド波形よりも高い周波数を抑制することによって、着信波形をアナログベースバンド波形または中間周波数波形に変換する。ＬＰＮ１０６は、次いで、さらなるデジタル信号処理（ＤＳＰ）のためにＬＰＮ１０６のデジタル部に波形を提供する前に、ＡＤＣ１２０を使用して、アナログ波形をデジタルベースバンド波形に変換する。
【００１９】
いくつかの実施形態では、ＬＰＮ１０６のアナログ部１１２におけるブロック検出器１０８は、ある期間にわたりＬＰＮ１０６で受信された着信波形の合計電力を測定する。測定された電力Ｐｉｎがある閾値（例えば、アンテナ１２２で−４５ｄＢｍ）を上回る場合、ブロック検出器１０８は、ブロッキング状況がＬＰＮ１０６で発生したと見なし、したがって、ブロックインジケータを生成する。図２に示されるように、ブロック検出器１０８の測定点は、ＬＮＡ１１４の後（受信されたアナログ波形が増幅された後）またはアナログフィルタ１１８の後（波形における高い周波数が抑制された後）のいずれかであることができる。
【００２０】
いくつかの実施形態では、着信波形が、デジタルベースバンド波形にＡＤＣ１２０によって変換された後、ブロック検出器１０８は、ブロッキング状況のインジケータを決定するために、図３に描写されるＬＰＮ１０６のデジタル部１２４の実施例によって示されるように、ある期間に属する波形のサンプルのヒストグラムを生成することによって、デジタル形態における着信波形を分析する。ここでは、デジタル波形は、ある数のビットを介して表されたサンプルによって表される。最大の正の値または最大の負の値のいずれかを有するサンプルの数が、カウントされる。ある非限定実施例に関して、ＡＤＣ１２０による変換後のデジタル波形が、２の補数においてＮビットを用いて表される場合、最大の正のサンプル値は、（２Ｎ−１−１）であり、最大の負のサンプル値は、−（２Ｎ−１−１）である。ブロック検出器１０８によってカウントされる最大の正のおよび負の値サンプルの数が、ある閾値を上回る場合、ブロック検出器１０８は、ブロッキングがＬＮＤ１０６で発生したことを決定する。図３に示されるように、ブロック検出器１０８は、デジタル波形が、ワイヤレス通信規格に従ってさらに処理するために、デジタル信号プロセッサ１２６に提供される前に、デジタル波形を分析し得る。
【００２１】
いくつかの実施形態では、ＬＰＮ１０６のブロック検出器１０８がＬＰＮ１０６のアナログおよび／またはデジタル部でのブロッキング状況を検出する期間は、マクロベースステーション１０２、ＵＥ１０４、およびＬＰＮ１０６の間における通信システム１００のために使用される通信規格に依存する。具体的には、期間は、ブロック検出器１０８による測定精度を確実にするために十分に長くするべきである。一方、期間が過度に長い場合、例えば、ＬＰＮ１０６でのブロッキング状況が存在する時間よりも長い場合、これは、ブロック検出器１０８によるブロッキングの誤った検出をもたらし得る。したがって、種々の期間が、使用されることが可能である。ある非限定実施例に関して、ＬＴＥの場合、期間のための好適な範囲は、図４に示される実施例によって例証されるように、１／１４ｍｓ〜１ｍｓである。図４の実施例に示されるように、期間は、ブロック検出器１０８によるブロッキング検出に対して、有利には、着信波形ＵＥ１０４からの振幅によって示唆されるようなブロッキング状況がＬＰＮ１０６で発生している場合のその期間に対応するように選択され得る。
【００２２】
いくつかの実施形態では、ブロック検出器１０８は、ブロッキング状況がＬＰＮ１０６で発生したかどうかを検出するために、ＬＰＮ１０６によってサービス提供される、ＵＥ１０４によるアップリンク伝送の時間および周波数の配分に関する情報を利用する。ある非限定実施例に関して、ＬＴＥのワイヤレス通信規格等の下、各ＬＰＮ１０６は、ＬＰＮ１０６がサービス提供する各ＵＥ１０４のためのブロックエラー率（ＢＬＥＲ）を測定し、ここで、ＢＬＥＲは、ＬＰＮ１０６においてＵＥ１０４から受信されたブロックの合計数に対するエラーのあるブロックの数の比率である。ブロック検出器１０８は、ＬＰＮ１０６での潜在的なブロッキング状況の測定値として、ＵＥ１０４のＢＬＥＲを利用し得る。ＬＰＮ１０６によってサービス提供される１つまたはいくつかのＵＥ１０４に対するＢＬＥＲが、ある期間（例えば、３０ｍｓ）の間に、ある閾値（例えば、９０％）を超える場合、ブロック検出器１０８は、ブロッキング状況がＬＰＮ１０６で発生したことを決定し、したがって、ブロッキングインジケータを生成する。
【００２３】
ブロック検出器１０８が、ブロッキング状況がＬＰＮ１０６で発生したことを識別すると、それは、ブロックインジケータを生成し、マクロベースステーション１０２におけるスケジューラ１１０に提供する。ここでは、スケジューラ１１０は、これらのＵＥ１０４をサービス提供するＬＰＮ１０６を通して、ＵＥ１０４とベースステーション１０２との間でのアップリンクおよびダウンリンク通信の伝送および再伝送（伝送失敗の場合）をスケジュールし、制御する。ＬＰＮ１０６からのブロックインジケータが受信されると、スケジューラ１１０は、ＬＰＮ１０６でブロックされたアップリンク通信の再伝送の取り扱いにおいて、そのような情報を利用し得る。
【００２４】
以下に言及されるように、用語「スケジューラ」は、目的を達成するために使用されるハードウェア、ソフトウェア、ファームウェア、または他のコンポーネントのうちの１つ以上の組み合わせを含む。ある非限定実施例に関して、ソフトウェア命令は、不揮発性メモリ（また、二次メモリとも称される）に記憶される。ソフトウェア命令が実行されると、少なくとも、ソフトウェア命令のサブセットは、プロセッサによってメモリ（また、一次メモリとも称される）に読み込まれる。プロセッサは、次いで、メモリにおいてソフトウェア命令を実行する。プロセッサは、共有プロセッサ、専用プロセッサ、あるいは共有または専用プロセッサの組み合わせであり得る。
【００２５】
以下に言及されるように、フレームは、ＵＥ１０４／ＬＰＮ１０６がいかに速く規定のフレーム境界内で同期化を取得し、ベースステーション１０２と通信を始めることができるかを左右する主構造を提供する。フレームは、主として、長さと、典型的には、フレームの開始時のプリアンブルである同期信号の存在と、フレームに関係する制御情報とを特徴とする。サブフレームは、同一の方向特性を有するフレーム、すなわち、ダウンリンクまたはアップリンク接続／通信のいずれか内の無線周波数（ＲＦ）リソースの時間単位の連続数として定義される。この定義によって、サブフレームは、少なくとも２つのパラメータ、すなわち、１）方向（ダウンリンクまたはアップリンクのいずれか）と、２）長さまたは持続時間とを特徴とする。いくつかの実施形態では、同一の方向性を保有する２つの連続サブフレームが存在し得る（例えば、後に別のダウンリンクサブフレームが続くダウンリンクサブフレーム）。いくつかの実施形態では、サブフレームは、同一であるか、または適合性のある構成の複数の単位サブフレームを含み得、サブフレームの長さ／時間の持続期間は、サブフレーム内の単位サブフレームの数によって決定され、サブフレーム最小長は、１つの単位サブフレームであり、サブフレームの最大長は、サブフレームが属するフレーム区画の長さによって左右される。サブフレームの長さは、リンク方向（ダウンリンクまたはアップリンク）の変化率を決定し、サブフレームの構成は、伝達待ち時間、従って、サービス品質（ＱｏＳ）、および信号応答待ち時間に対する直接的な影響を有する。
【００２６】
図５は、複数のサブフレームを含む観察期間の間、ブロックインジケータの統計を使用して、ＬＰＥからのアップリンク通信の伝送をスケジュールするスケジューラ１１０の一実施例を示す。図５の実施例では、観察期間内における各サブフレームに対して、受信されたブロックインジケータの数の単純なカウンタが、ブロックインジケータ統計変数の非限定実施例として使用される。統計変数の他の形態もまた、類似する動作フローに従って使用される。
【００２７】
図５に示されるように、スケジューラ１１０は、ブロック５０２において、ベースステーション１０２での観察期間の間、各サブフレームに対して、スケジューラ１１０によって制御される各ＬＰＮ１０６に関連してブロックインジケータカウンタを作成する。スケジューラ１１０が、ブロック５０４において、サブフレームに対して、制御下のＬＰＮ１０６におけるブロック検出器１０８からブロックインジケータを受信する場合、スケジューラ１１０は、ブロック５０６において、そのサブフレームに対するＬＰＮ１０６のブロックインジケータカウンタを増加させる。一方、ＬＰＮ１０６からのブロックインジケータが、サブフレームに対して、スケジューラ１１０によって受信されない場合、スケジューラ１１０は、ブロック５０８において、そのサブフレームに対するカウンタＬＰＮ１０６のブロックインジケータを減少させる。スケジューラ１１０は、次いで、ブロック５１０において、サブフレームに対するＬＰＮ１０６のブロックインジケータカウンタをチェックする。ブロックインジケータカウンタが、ＬＰＮ１０６がブロックされている可能性が高いことを示す事前に定義された閾値Ｔ＿ｏｎにヒットする場合、スケジューラ１１０は、ブロック５１２において、該当ＬＰＮ１０６に対して「スケジュール不能」としてサブフレームをタグ付け、これは、スケジューラ１１０がそのアップリンク通信が該当ＬＰＮ１０６によって受信されるＵＥ１０４へのアップリンクリソースを配分しないであろうことを意味する。サブフレームに対するＬＰＮ１０６のブロックインジケータカウンタが、事前に定義された閾値Ｔ＿ｏｎにヒットせず、Ｔ＿ｏｎ未満であり、かつＬＰＮ１０６がブロック解除される可能性が高いことを示す別の既定の閾値Ｔ＿ｏｆｆ未満である場合、スケジューラ１１０は、ブロック５１４において該当ＬＰＮ１０６におけるサブフレームに対して事前に設定された「スケジュール不能」タグを除去し、これは、スケジューラ１１０が、そのアップリンク通信が該当ＬＰＮ１０６によって受信されるＵＥ１０４に対してアップリンクリソースの配分を再開するであろうことを意味する。スケジューラ１１０は、観察期間の終了に到達するまで、各サブフレームに対して、ブロック５０２からブロック５１４を繰り返す。その時、スケジューラ１１０は、ブロック５１６において、ＬＰＮ１０６のためのブロックインジケータカウンタをリセットする。
【００２８】
図６は、ＨｅｔＮｅｔ展開のためのアンチブロッキングセルラー通信をサポートするプロセスの実施例のフローチャート６００を描写する。この図は、例証の目的のための特定の順序における機能的ステップを描写するが、プロセスは、ステップの任意の特定の順序または配列に限定されない。当業者は、この図に表現された種々のステップが、種々の方法において、省略、再配列、結合、および／または適合され得ることを認識するであろう。
【００２９】
図６の実施例では、フローチャート６００は、モバイルデバイスからの着信波形がベースステーションとのアップリンク通信のための低電力ノード（ＬＰＮ）で受信される、ブロック６０２から開始する。フローチャート６００は、着信波形がＬＰＮで発生するブロッキング状況の検出のために分析される、ブロック６０４へと続く。フローチャート６００は、ブロッキング状況が検出された場合、ブロックインジケータが生成され、ベースステーションに提供される、ブロック６０６へと続く。フローチャート６００は、ＬＰＮのブロックインジケータ統計がベースステーションにおいて観察期間内で各サブフレームに対して計算される、ブロック６０８へと続く。フローチャート６００は、ＬＰＮのブロックインジケータ統計が観察期間のサブフレームの間にある閾値を超える場合、アップリンクリソースがベースステーションとのアップリンク通信のためにＬＰＮによってサービス提供されるモバイルデバイスに配分されない、ブロック６１０において終了する。
【００３０】
本発明の種々の実施形態が、上記に説明されているが、それらは、限定としてではなく、実施例として提示されていることを理解されたい。同様に、種々の図は、本発明に含まれることができる特徴および機能性を理解する際に、補助するために行われる、本発明に関する実施例アーキテクチャまたは他の構成を描写し得る。本発明は、例証される実施例アーキテクチャまたは構成に制限されないが、様々な代替アーキテクチャおよび構成を使用して、実装されることができる。加えて、本発明は、そのような実施形態が説明されるかどうか、かつそのような特徴が説明される実施形態の一部として提示されるかどうか、種々の例示的実施形態および実装の観点から上記に説明されるが、１つ以上の個々の実施形態に説明される種々の特徴および機能性は、それらが説明される特定の実施形態のその適用性に限定されず、代わりに、単独またはいくつかの組み合わせで、本発明の１つの以上の他の実施形態に適用されることができることを理解されたい。したがって、本発明の範疇および範囲は、上記に説明される例示的実施形態のいずれかによって限定されるべきではない。
【００３１】
この文書に説明される１つ以上の機能は、適切に構成されるモジュールによって実施され得る。本明細書で使用される用語「モジュール」は、本明細書に説明される関連付けられる機能を実施するための１つ以上プロセッサ、ファームウェア、ハードウェア、およびこれらの要素の任意の組み合わせによって実行されるソフトウェアを指す。加えて、議論の目的のために、種々のモジュールは、個別的なモジュールとして説明される。しかしながら、当業者に明白であろうように、２つ以上のモジュールが、本発明の実施形態に従って、関連付けられる機能を行う単一のモジュールを形成するように結合され得る。
【００３２】
加えて、この文書に説明される１つ以上の機能は、概して、メモリストレージデバイス、またはストレージユニット等の媒体を指すために、本明細書で使用される「コンピュータプログラム製品」、「コンピュータ読み取り可能な媒体」等内に記憶されるコンピュータプログラムコードを用いて行われ得る。コンピュータ読み取り可能な媒体のこれらおよび他の形態は、プロセッサに規定の動作を実施させるために、プロセッサによる使用のため１つ以上の命令を記憶することに関わり得る。そのような命令は、概して、実行されると、コンピューティングシステムが所望の動作を行うことを可能にする「コンピュータプログラムコード」（コンピュータプログラムまたは他のグループ化の形態でグループ化され得る）と称される。
【００３３】
明確性の目的のために、上記の説明は、異なる機能的ユニットおよびプロセッサを参照して、本発明の実施形態を説明していることが認識されるであろう。しかしながら、異なる機能的ユニット、プロセッサ、または領域との間での機能性の任意の好適な分配は、本発明から逸脱することなく、使用され得ることが明白であるであろう。例えば、別個のユニット、プロセッサ、またはコントローラによって行われる例証される機能性は、同一のユニット、プロセッサ、またはコントローラによって行われ得る。故に、具体的機能的ユニットの言及は、厳密な論理的または物理的な構造あるいは編成を示すのではなく、説明された機能性を提供するための好適な手段の言及のみと見なされる。
【図１】
2016509765.tif 000003
【図２】
2016509765.tif 000004
【図３】
2016509765.tif 000005
【図４】
2016509765.tif 000006
【図５】
2016509765.tif 000007
【図６】
2016509765.tif 000008
【国際調査報告】
2016509765.tif 000009